(57)【要約】【課題】受配電設備に関するデータを低コストで簡便かつ確実に監視可能な受配電設備の監視システムを提供する。【解決手段】監視システム１は、受配電設備２を構成するＮ台の電気機器３を監視対象としており、データ管理部である管理ＰＣ４と、近距離通信用のＲＦＩＤであるＩＣタグ５と、を備えている。監視システム１では、ＩＣタグ５を用いて、各電気機器３との間、および管理ＰＣ４との間で、データの送受信を行うようになっている。ＩＣタグ５は、電気機器３あるいは管理ＰＣ４の送受信部３２、４２への近接を判別して、送受信部３２、４２が近接すると、記憶部５１に記憶されたデータを、送受信部３２、４２に送信する。また、ＩＣタグ５は、送受信部３２、４２への近接に際して、電気機器３側あるいは管理ＰＣ４側のデータを、送受信部３２、４２から受信する。【選択図】図１
2017107304.tif 000002
【特許請求の範囲】
【請求項１】
受配電設備との間、および当該受配電設備に関するデータを管理するデータ管理部との間で、前記データの送受信を行う近距離通信用のＩＣタグを備えたことを特徴とする受配電設備の監視システム。
【請求項２】
前記データ管理部に前記ＩＣタグを一体的に組み込んだことを特徴とする請求項１に記載の受配電設備の監視システム。
【請求項３】
前記データ管理部又は前記ＩＣタグは、可搬性の端末であることを特徴とする請求項１又は２に記載の受配電設備の監視システム。
【請求項４】
前記データ管理部および前記ＩＣタグの少なくとも一方に、前記データの表示部を備えたことを特徴とする請求項１〜３のいずれか１項に記載の受配電設備の監視システム。
【請求項５】
前記データ管理部および前記ＩＣタグの少なくとも一方に、前記データの記憶部を備えたことを特徴とする請求項１〜４のいずれか１項に記載の受配電設備の監視システム。
【発明の詳細な説明】
【技術分野】
【０００１】
本発明の実施形態は、受配電設備の監視システムに関する。
【背景技術】
【０００２】
受配電設備は、建物内で運用される様々な設備に対する電源設備であり、建物の運用にとって重要な設備である。受配電設備は、例えば、計器用変圧器や計器用変流器、無停電電源装置などの電気機器からなる。これらの電気機器に関しては、その状態を管理して、定期的なメンテナンスを行う必要がある。
【０００３】
そのため、受配電設備の監視作業を行っている。具体的には、運用者が１時間に１度の分散配置された電気機器を巡回し、各電気機器のデータを収集する。そして、収集したデータに基づいて電力日報などを作成し、データ管理を行っている。このようなデータの収集や管理は、データの読み取りや書き込みに、運用者が神経を使うことが多く、運用者の業務負担が重かった。
【０００４】
そこで、運用者の業務負担の軽減化を図るべく、受配電設備の監視システムが導入されている。この監視システムには、受配電設備を構成する各電気機器と接続されるリモートステーション盤、受配電設備に関するデータの管理部となる管理ＰＣ、各種データを記憶するデータサーバなどが含まれている。したがって、受配電設備の監視システムは大規模化している。
【０００５】
大規模な監視システムを導入する場合、設備監視用の配線や配管、監視盤の設置といった工事を行う必要がある。すなわち、監視システムが大規模化することで、投資額が増大してしまい、監視システムの導入自体が敬遠されがちであった。特に、高いコストをかけ難い小中規模の建物では、監視システムの導入が困難となっていた。そこで、運用者の業務負担の軽減化を図りつつコストを低減させる技術として、無線技術を応用したデータ収集装置などが提案されている。
【先行技術文献】
【特許文献】
【０００６】
【特許文献１】特開２０１５−９９５４２号公報
【発明の概要】
【発明が解決しようとする課題】
【０００７】
上記の従来技術には次のような課題が指摘されている。すなわち、無線技術を応用したデータ収集装置では、無線の途絶によって監視が行われない可能性がある。また、混信によってデータの誤送信が起こる可能性も否めない。そのため、受配電設備のデータを確実に収集することができ、しかも高額の資本を投入することなく、低コストで実現できる監視システムの構築が急務となっている。
【０００８】
本発明の実施形態は、以上の問題点を解決するために提案されたものである。本発明の実施形態の目的は、受配電設備に関するデータを低コストで簡便かつ確実に監視可能な受配電設備の監視システムを提供することである。
【課題を解決するための手段】
【０００９】
上記の目的を達成するために、本実施形態に係る受配電設備の監視システムは、受配電設備との間、および当該受配電設備に関するデータを管理するデータ管理部との間で、前記データの送受信を行う近距離通信用のＩＣタグを備えている。
【図面の簡単な説明】
【００１０】
【図１】第１の実施形態のブロック図。
【図２】第１の実施形態において電気機器からＩＣタグへの情報の書込手順を示すフローチャート。
【図３】第１の実施形態においてＩＣタグから管理ＰＣへの情報の書込手順を示すフローチャート。
【図４】第１の実施形態において電気機器、ＩＣタグおよび管理ＰＣを近傍に配置した場合の電気機器から管理ＰＣへの情報の書込手順を示すフローチャート。
【図５】第１の実施形態において管理ＰＣからＩＣタグを介して電気機器の設定を行う設定手順を示すフローチャート。
【図６】第２の実施形態のブロック図。
【図７】第３の実施形態のブロック図。
【図８】第４の実施形態のブロック図。
【発明を実施するための形態】
【００１１】
［第１の実施形態］
［構成］
以下、本発明の第１の実施形態について、図面を参照して説明する。図１は、第１の実施形態の構成を示すブロック図である。監視システム１は、受配電設備２を構成するＮ台の電気機器３を監視対象としており、受配電設備２に関するデータの管理部である管理ＰＣ４と、近距離通信用のＲＦＩＤであるＩＣタグ５と、を備えている。ここでいう近距離とは、周波数帯によって数ｃｍ〜数ｍである。
【００１２】
監視システム１では、ＩＣタグ５を用いて、各電気機器３との間、および管理ＰＣ４との間で、データの送受信を行うようになっている。ＩＣタグ５にて送受信されるデータとは、受配電設備２に関するデータであって、例えば、各電気機器３の状態を示すデータである。つまり、ＩＣタグ５はデータロガーの役割を果たし、電気機器３と管理ＰＣ４との間で、データの収集と伝達を行う。
【００１３】
また、監視システム１では、管理ＰＣ４にてデータを一元的に管理する。データ管理処理にはデータの重複や欠損の検出および分析なども含まれるが、これらのデータ管理処理は管理ＰＣ４上だけで実施する。つまり、ＩＣタグ５はデータの収集および伝達を行うだけであって、データの管理処理までは行わないものとする。また、電気機器３側でもデータ管理を実施しないものとする。
【００１４】
［受配電設備］
受配電設備２は、電力系統から受電して建物の各部に配電する複数の電気機器３からなる。受配電設備２を構成する電気機器３としては、例えば、計器用変圧器ＰＴ、計器用変流器ＣＴ、マルチリレー３−１、マルチメータ３−２、無停電電源装置３−３、定電圧定周波数装置３−４などがある。
【００１５】
［電気機器］
各電気機器３は、記憶部３１と、送受信部３２とを有する。記憶部３１は、ハードディスク装置などであり、電気機器３の状態を示す各種のデータを記憶する。送受信部３２は、ＩＣタグライタ・リーダ装置であり、ＩＣタグ５との間でデータを送受信する。つまり、送受信部３２は、ＩＣタグ５が近接しているか否かを判別し、送受信部３２にＩＣタグ５が近接したと判別すると、ＩＣタグ５にデータを書き込んだり、ＩＣタグ５からデータを読み込んだりする。なお、マルチリレー３−１、マルチメータ３−２、無停電電源装置３−３、定電圧定周波数装置３−４の記憶部、送受信部については、それぞれ記憶部３１−１，３１−２，３１−３，３１−４、送受信部３２−１，３２−２，３２−３，３２−４と定義する。
【００１６】
（１）マルチリレー
マルチリレー３−１は、保護継電器、メーター、操作スイッチ及び監視窓などの機能を一つに集約した電気機器であって、現在の状況や稼働履歴、スケジュールの設定などを確認するための装置である。また、マルチリレー３−１は、保護のためにマルチリレー３−１の整定値や各種の設定値をＩＣタグ５経由で取り込むようになっている。また、マルチリレー３−１には、記憶部３１に保存されている稼働履歴などのデータが保存容量を超過しそうになった場合に、これらのデータの移動を示唆する、点灯可能なアラームが取り付けられている。
【００１７】
（２）マルチメータ
マルチメータ３−２は、日報や月報などの帳票表示を行う装置である。マルチメータ３−２は、一定期間のデータを格納可能である。また、マルチメータ３−２には、データを欠測する可能性がある旨の警告を行う、点灯可能なアラームが取り付けられている。
【００１８】
（３）無停電電源装置（ＵＰＳ）
無停電電源装置３−３は、受配電設備２の電源が切れた場合等に、一定時間、受配電設備２を構成する各機器に停電させることなく電力を供給し続ける予備電源装置である。また、無停電電源装置３−３は、出力する電力の電流値・電圧値を計測して波形データを記録する。
【００１９】
（４）定電圧定周波数装置（ＣＶＣＦ）
定電圧定周波数装置３−４は、受配電設備２の交流電源が切れた場合等に、一定時間、受配電設備２を構成する各機器に停電させることなく交流電力を供給し続ける予備電源装置である。また、定電圧定周波数装置３−４は、出力する交流電力の電流値・電圧値を計測して記録する。定電圧定周波数装置３−４は、交流電力の停電時に、内部のバッテリーなどを利用して、安定した電圧、周波数の交流電力を出力する。定電圧定周波数装置３−４は、交流電力の停電時ではない通常稼働時に、負荷の変動による周波数や電圧の変化を安定化させる機能も有する。定電圧定周波数装置３−４は、出力する交流電力の電流値・電圧値等を計測して波形データを記録する。
【００２０】
［管理ＰＣ］
管理ＰＣ４は、設備管理や履歴管理、帳票表示などを行うＰＣであって、記憶部４１と、送受信部４２と、表示部４３と、演算処理部４４と、を有する。記憶部４１は、例えばハードディスク装置などであり、電気機器３の状態を示すデータや、オペレーティングシステムや各種プログラムなどのデータ、タイムスタンプ等や設定変更の履歴データなどを記憶する。
【００２１】
送受信部４２は、ＩＣタグライタ・リーダ装置であり、近接するＩＣタグ５から、電気機器３の持つデータを受信し、近接するＩＣタグ５に対して電気機器３に読み込ませるデータを送信する。すなわち管理ＰＣ４は、ＩＣタグ５を介在させて、電気機器３に各種のデータを読み込ませて、データ設定を行う。
【００２２】
例えば、管理ＰＣ４がマルチリレー３−１またはマルチメータ３−２の設定値を設定した場合、管理ＰＣ４は、送受信部４２を介してそれらの設定値を、ＩＣタグ５に書き込む。運用者はこのＩＣタグ５をマルチリレー３−１またはマルチメータ３−２にまで運搬し、送受信部３２−１，３２−２に近接させる。その結果、マルチリレー３−１またはマルチメータ３−２の送受信部３２−１または３２−２は、ＩＣタグ５から前記の設定値を読み込み、マルチリレー３−１またはマルチメータ３−２がデータ設定を行う。
【００２３】
表示部４３は、例えば液晶ディスプレイなどであり、演算処理部４４の制御に従ってデータを表示する。演算処理部４４は、例えばＣＰＵなどであり、管理ＰＣ４全体を制御する。具体的には、演算処理部４４は、ＩＣタグ５から読み込んだデータを基に、所定のアプリケーションを用いて、各電気機器３の状態や計測値などの演算処理を行う。
【００２４】
［ＩＣタグ］
ＩＣタグ５は、電気機器３あるいは管理ＰＣ４の送受信部３２、４２への近接を判別して、送受信部３２、４２が近接すると、記憶部５１に記憶されたデータを、送受信部３２、４２に送信する。また、ＩＣタグ５は、送受信部３２、４２への近接に際して、電気機器３側あるいは管理ＰＣ４側のデータを、送受信部３２、４２から受信する。ＩＣタグ５は、ＩＣタグライタ・リーダ装置である送受信部３２、４２から発射される電波で生成した微力な電力を用いる。そのため、ＩＣタグ５は、送受信部３２、４２へのデータ送信、ならびにデータ受信に際して、独自の電源を持つ必要が無いパッシブタイプである。
【００２５】
また、ＩＣタグ５は、受信したデータを記憶する記憶部５１を有している。ＩＣタグ５の記憶部５１が電気機器３側のデータを記憶する場合、複数台の電気機器３と通信を行うことを考慮する。具体的には、ＩＣタグ５では、電気機器３ごとに識別番号を用意し、どの電気機器３から受信した情報なのかを識別する。
【００２６】
すなわち、記憶部５１は、予め設定された保存エリアに、所定の識別番号を持つ電気機器３からのデータを読み込む。記憶部５１は、電気機器３から取得したデータ、例えば電気機器３の状態、稼働履歴、計測値等のデータを、ＣＳＶ形式などで記憶する。具体的には、ＩＣタグ５がマルチリレー３−１から取得するデータとして、表１に示すような設備状態情報がある。
【００２７】
【表１】
2017107304.tif 000003
【００２８】
この設備状態情報は、「識別番号」、「年月日」、「時分秒イベント発生時刻」、「機器」、「事象」および「ステータス」の項目からなる。これらの項目のうち、「識別番号」は、受配電設備２の状態毎に付される番号を示す。「年月日」および「時分秒イベント発生時刻」は、各状態になった時刻を示す。「機器」は、電気機器３の固有番号を示す。「事象」は、その電気機器３における状態の対象、「ステータス」は具体的な状態を、それぞれ示している。
【００２９】
例えば、機器の項目が「ＨＲＥ０１」で、事象の項目が「Ｆ１＿ＯＣＲ」で、ステータスが「ｈａｓｓｅｉ」である場合は、番号「ＨＲＥ０１」のマルチリレーがフィーダ回路Ｆ１に過電流が発生したことを検出したことを意味する。また、機器の項目が「ＨＲＥ０１」で、事象の項目が「Ｆ１＿ＯＣＲ」で、ステータスが「ｆｕｋｋｉ」である場合は、番号「ＨＲＥ０１」のマルチリレーがフィーダ回路Ｆ１の過電流復帰を検出したことを意味する。
【００３０】
また、機器の項目が「ＨＲＥ０１」で、事象の項目が「５２Ｆ２」で、ステータスが「ｋａｉｈｏｕ」である場合は、番号「ＨＲＥ０１」のマルチリレーが、フィーダ回路Ｆ２の開放を検出したことを意味する。また、機器の項目が「ＨＲＥ０１」で、事象の項目が「５２Ｆ２」で、ステータスが「ｔｏｎｙｕ」である場合は、番号「ＨＲＥ０１」のマルチリレーが、フィーダ回路Ｆ２の投入を検出したことを意味する。
【００３１】
ＩＣタグ５がマルチメータ３−２または無停電電源装置３−３から取得したデータとしては、例えば、表２に示すような設備状態情報がある。
【表２】
2017107304.tif 000004
【００３２】
この設備状態情報は、「識別番号」、「年月日」、「時分秒計測値取得時」、「機器」、「計測対象」、「数値」「単位」および「ステータス」の項目からなる。「識別番号」は、受配電設備２を対象とした計測毎に付される番号を示す。「年月日」および「時分秒計測値取得時」は、各計測値を取得した時刻を示す。「機器」は、電気機器３の固有番号を示す。「計測対象」は、電流、電圧などの測定項目を示す。「数値」は、測定値を、「単位」は、測定値の単位を、「ステータス」は、測定値が正常か異常かを、それぞれ示している。
【００３３】
例えば、年月日および時分秒の項目が「ｙｙｙｙｍｍｄｄ」「ｈｈ：ｍｍ：ｓｓ」で、機器の項目が「ＭＭ０１」で、事象の項目が「ｃｕｒｒｅｎｔ＿Ｒ」で、数値の項目が、「３．５」で、単位の項目が「Ａ」で、ステータスの項目が「ｎｏｒｍａｌ」である場合は、ｙｙｙｙ年ｍｍ月ｄｄ日ｈｈ時ｍｍ分ｓｓ秒に、番号「ＭＭ０１」のマルチメータが３．５Ａの正常なＲ相電流を計測したことを意味する。
【００３４】
機器の項目が「ＭＭ０１」で、事象の項目が「ｖｏｌｔａｇｅ＿ＲＳ」で、数値の項目が、「２１０」で、単位の項目が「Ｖ」で、ステータスの項目が「ｎｏｒｍａｌ」である場合は、番号「ＭＭ０１」のマルチメータが２１０Ｖの正常なＲＳ相間電圧を計測したことを意味する。
【００３５】
機器の項目が「ＭＭ０１」で、事象の項目が「ｃｕｒｒｅｎｔ＿Ｒ」で、数値の項目が、「３．７」で、単位の項目が「Ａ」で、ステータスの項目が「ｎｏｒｍａｌ」である場合は、ｙｙｙｙ年ｍｍ月ｄｄ日ｈｈ時ｍｍ分ｓｓ秒に、番号「ＭＭ０１」のマルチメータが３．７Ａの正常なＲ相電流を計測したことを意味する。
【００３６】
機器の項目が「ＭＭ０１」で、事象の項目が「ｖｏｌｔａｇｅ＿ＲＳ」で、数値の項目が、「２６２」で、単位の項目が「Ｖ」で、ステータスの項目が「ｏｖｅｒ＿ｒａｎｇｅ」である場合は、番号「ＭＭ０１」のマルチメータが２６２Ｖの正常な範囲外の異常なＲＳ相間電圧を計測したことを意味する。
【００３７】
［監視処理］
図２〜図５のフローチャートを用いて、本実施形態の監視処理について具体的に説明する。まず、電気機器３からＩＣタグ５へのデータの書込処理が行われる。図２は、本実施形態の監視システム１において、電気機器３からＩＣタグ５へのデータの書込手順を示すフローチャートである。
【００３８】
電気機器３において、ＩＣタグライタ・リーダ装置である送受信部３２は、ＩＣタグ５が近接しているか否かを判別する（ステップＳ１）。また、ＩＣタグ５は、電気機器３の送受信部３２が近接しているか否かを判別する（ステップＳ１１）。運用者がＩＣタグ５を持って電気機器３に近づくと、電気機器３とＩＣタグ５が互いに近接する（Ｓ１，Ｓ１１：ＹＥＳ）。この場合、電気機器３の送受信部３２はＩＣタグ５からデータを読み込み（ステップＳ２）、記憶部３１がこれを保存する（ステップＳ３）。電気機器３とＩＣタグ５が近接していなければ（ステップＳ１，Ｓ１１：ＮＯ）、ＩＣタグ５または送受信部３２の近接の判別を繰り返す。
【００３９】
また、電気機器３とＩＣタグ５が互いに近接した場合（Ｓ１，Ｓ１１：ＹＥＳ）、電気機器３は、ＩＣタグ５に識別番号を書き込み（ステップＳ４）、ＩＣタグ５は、書き込まれた識別番号を照合する（ステップＳ１２）。電気機器３は、記憶部３１に保存されていた電気機器３の状態を示すデータなどをＩＣタグ５に書き込み（ステップＳ５）、ステップＳ１に戻る。ＩＣタグ５は、電気機器３から読み取ったデータを記憶部５１に保存し（ステップＳ１３）、ステップＳ１１に戻る。
【００４０】
運用者は、ＩＣタグ５を持って各電気機器３を巡回し、各電気機器３のデータを全てＩＣタグ５に読み取らせ、管理ＰＣ４からのデータをＩＣタグ５に書き込んでいく。最終的に、運用者は、電気機器３のデータが書き込まれたＩＣタグ５を、管理ＰＣ４の元へと運び、送受信部４２にＩＣタグ５を近接させる。これにより、管理ＰＣ４は、ＩＣタグ５を介してすべての電気機器３からデータを収集し、これらのデータを一元的に管理して、データの記憶、加工および表示を行う。ＩＣタグ５から管理ＰＣ４へのデータ読取処理について、図３のフローチャートを用いて説明する。
【００４１】
図３に示すように、管理ＰＣ４において、送受信部４２は、ＩＣタグ５が近接しているか否かを判別する（ステップＳ２１）。ＩＣタグ５が近接していない場合（ステップＳ２１：ＮＯ）、管理ＰＣ４は、ステップＳ２１の処理を繰り返す。また、ＩＣタグ５も、電気機器３の送受信部３２または管理ＰＣ４の送受信部４２が近接しているか否かを判別している（ステップＳ３１）。
【００４２】
送受信部４２とＩＣタグ５とが近接した場合に（ステップＳ２１，Ｓ３１：ＹＥＳ）、送受信部４２は、ＩＣタグ５は識別番号を照合し（ステップＳ３２）、管理ＰＣ４は、ＩＣタグ５が照合したすべての識別番号を、それに対応するデータと共に順に読み取り（ステップＳ２２，Ｓ２３）、記憶部４１が読み取ったデータを保存する（ステップＳ２４）。その後、管理ＰＣ４は、記憶部４１に保存したデータに基づいて表示部４２の監視画面を更新し、ステップＳ２１に戻る。このようにして、管理ＰＣ４は、各電気機器３のデータを、ＩＣタグ５を介して集約する。
【００４３】
さらに、本実施形態の監視システム１では、電気機器３、ＩＣタグ５および管理ＰＣ４の３つを、全て近傍に配置した場合、ＩＣタグ５を介した電気機器３から管理ＰＣ４へのデータ書込処理がリアルタイムで行われる。図４に示すように、電気機器３の送受信部３２は、ＩＣタグ５が近接しているか否かを判別する（ステップＳ４１）。ＩＣタグ５が近接していれば（ステップＳ４１：ＹＥＳ）、電気機器３の送受信部３２はＩＣタグ５からデータを読み込み（ステップＳ４２）、記憶部３１がこれを保存する（ステップＳ４３）。
【００４４】
ＩＣタグ５は、電気機器３の送受信部３２または管理ＰＣ４の送受信部４２が近接しているか否かを判別し（ステップＳ５１）、送受信部３２、４２が近接していれば（ステップＳ５１：ＹＥＳ）、ステップＳ５２に進む。また、管理ＰＣ４は、送受信部４２にＩＣタグ５が近接しているか否かを判別し（ステップＳ６１）、ＩＣタグ５が近接していれば（ステップＳ６１：ＹＥＳ）、ステップＳ６２に進む。
【００４５】
また、送受信部３２、ＩＣタグ５および送受信部４２が近接している場合に（ステップＳ４１，Ｓ５１，Ｓ６１：ＹＥＳ）、電気機器３の送受信部３２は、記憶部３１から識別番号をＩＣタグ５に送信して書き込む（ステップＳ４４）。それに応じて、ＩＣタグ５は、電気機器３によって書き込まれた識別番号を照合する（ステップＳ５２）。また、管理ＰＣ４の送受信部４２は、ＩＣタグ５から識別番号を受信してこれを読み込む（ステップＳ６２）。
【００４６】
電気機器３は、記憶部３１からのデータをＩＣタグ５に送信してこれを書き込み（ステップＳ４５）、管理ＰＣ４は、ＩＣタグ５からデータを読み取り（ステップＳ６３）、表示部４２の監視画面を更新する（ステップＳ６４）。また、管理ＰＣ４は、記憶部４１にデータを保存する（ステップＳ６５）。なお、電気機器３あるいは管理ＰＣ４と、ＩＣタグ５とが近接していなければ（ステップＳ４１，Ｓ５１，Ｓ６１：ＮＯ）、ＩＣタグ５または送受信部３２、４２の近接の判別を繰り返す。
【００４７】
また、本実施形態では、管理ＰＣ４による電気機器３の設定処理が行われる。図５は、本実施形態の監視システム１において、管理ＰＣ４からＩＣタグ５を介して電気機器３の設定を行う設定手順を示すフローチャートである。電気機器３の設定とは、例えば、電気機器３がマルチリレー３−１またはマルチメータ３−２である場合、これらの電気機器３は、稼働スケジュール、設定値または整定値を、ＩＣタグ５を介して管理ＰＣ４から取得して設定するものである。
【００４８】
管理ＰＣ４は、運用者が操作部（図不掲載）を介して入力した稼働スケジュール、設定値または整定値を記憶部４３に記憶し（ステップＳ７１）、送受信部４１にＩＣタグ５が近接しているか否かを判別する（ステップＳ７２）。また、ＩＣタグ５は、電気機器３の送受信部３２または管理ＰＣ４の送受信部４２が近接しているか否かを判別する（ステップＳ８１）。管理ＰＣ４の送受信部４２とＩＣタグ５とが近接していない場合（ステップＳ７２，Ｓ８１：ＮＯ）は、管理ＰＣ４はステップＳ７１に戻り、ＩＣタグ５および電気機器３はステップＳ８１を繰り返す。
【００４９】
管理ＰＣ４とＩＣタグ５と近接している場合（ステップＳ７２：ＹＥＳ）、管理ＰＣ４は、ＩＣタグ５に識別番号を書き込み（ステップＳ７３）、ＩＣタグ５は管理ＰＣ４からの識別番号を照合する（ステップＳ８２）。次に、管理ＰＣ４は、記憶している稼働スケジュール、設定値または整定値をＩＣタグ５に書き込む（ステップＳ７４）。その後、管理ＰＣ４は、ステップＳ７１に戻る。また、管理ＰＣ４の送受信部４２と近接している場合（ステップＳ７２：ＹＥＳ）、ＩＣタグ５は、管理ＰＣ４からの稼働スケジュール、設定値または整定値を受け取り、記憶部５１に保存する（ステップＳ８３）。その後、ＩＣタグ５は、ステップＳ８１に戻る。
【００５０】
次に、運用者は、稼働スケジュールなどのデータが格納されたＩＣタグ５を、マルチリレー３−１またはマルチメータ３−２などの電気機器３まで運搬する。電気機器３の送受信部３２は、ＩＣタグ５が近接しているか否かを判別して（ステップＳ９１）、ＩＣタグ５が近接していない場合（ステップＳ９１：ＮＯ）は、電気機器３はステップＳ９１を繰り返す。
【００５１】
一方、ＩＣタグ５が近接した場合（ステップＳ９１：ＹＥＳ）には、電気機器３は、ＩＣタグ５から識別番号を読み込んで照合する（ステップＳ９２）。その後、電気機器３は、ＩＣタグ５から稼働スケジュール、設定値または整定値を読み込んで記憶部３１に記憶し、電気機器３にて設定を反映し（ステップＳ９３）、ステップＳ９１に戻る。
【００５２】
［作用および効果］
第１の実施形態に係る監視システム１は、受配電設備２を構成する各電気機器３と、受配電設備２に関するデータを管理する管理ＰＣ４と、データの収集と伝達を行うＩＣタグ５とを有する。管理ＰＣ４は、ＩＣタグ５との間でデータを送受信する送受信部４２を有する。各電気機器３は、ＩＣタグ５との間でデータを送受信する送受信部３２を有する。
【００５３】
ＩＣタグ５は、電気機器３の送受信部３２に近接した場合には、電気機器３からデータを受信し、且つ管理ＰＣ４からのデータを電気機器３に送信する。また、ＩＣタグ５は、管理ＰＣ４の送受信部４２に近接した場合には、電気機器３から収集したデータを管理ＰＣ４に送信し、且つ管理ＰＣ４からデータを受信する。
【００５４】
したがって、本実施形態では、ＩＣタグライタ・リーダ装置である送受信部３２、４２を、電気機器３および管理ＰＣ４に設置し、ＩＣタグ５を用いてデータの受け渡しを行うことで、監視システム１を構築することができる。したがって、送受信部３２、４２を電気機器３および管理ＰＣ４に内蔵させるだけで、監視システム１の構築が可能となり、監視用の配線や配管、盤の設置などの大掛かりな工事が不要となる。
【００５５】
電気機器３またはＩＣタグ５上では、データの重複や欠損の検出や分析は実施せず、管理ＰＣ４上でのみ、実施される。そのため、電気機器３の構成追加は最小限で済み、ＩＣタグ５の構成もシンプルなもので良い。したがって、低コスト且つ簡便に監視システム１を構築することが可能となる。その結果、コストをかけ難い小中規模の建物であっても、監視性能に優れた監視システム１を導入しやすいといったメリットがある。
【００５６】
また、ＩＣタグ５による近距離通信を利用するため、無線の途絶によって測定が行われない、あるいは混信によって誤送信が起こるといった不具合が生じることがなく、確実に受配電設備２を監視することができる。しかもＩＣタグ５は、記憶部５１において、設定値の保存エリアを区別するので、１台のＩＣタグ５だけで、複数台の電気機器３の持つデータを正確に管理することができる。これにより、監視システム１の監視精度および経済性が格段に向上する。
【００５７】
さらに、運用者は、ＩＣタグ５を持参して、受配電設備２の各電気機器３に近接させながら巡回するだけで済む。すなわち、細かいデータの読取作業や書込作業などを、目視と手作業にて行う必要が無くなり、作業負担を大幅に軽減化することができる。
【００５８】
また、管理ＰＣ４およびＩＣタグ５の両方を電気機器３に近接させた場合、管理ＰＣ４は、表示部４３に電気機器３からのデータをその場で表示することができる。すなわち、電気機器３のデータを即時に取得したい場合に、ＩＣタグ５および管理ＰＣ４を、電気機器３の近くに置くことによって、簡単に電気機器３のデータをリアルタイムに受け取ることができる。
【００５９】
例えば、マルチリレー３−１、マルチメータ３−２などの電気機器３が取得した計測値を、ＩＣタグ５経由で管理ＰＣ４に送信し、管理ＰＣ４ではこれらのデータをリアルタイムデータとして表示させることができる。したがって、監視作業を効率良く実施することが可能となる。
【００６０】
電気機器３が無停電電源装置３−３または定電圧定周波数装置３−４である場合に、管理ＰＣ４は、無停電電源装置３−３または定電圧定周波数装置３−４の電流・電圧波形データを取得して表示部４２に表示させる。したがって、停電時の予備電源のデータをも、監視システム１で監視することが可能となる。
【００６１】
また、電気機器３がマルチリレー３−１またはマルチメータ３−２である場合に、管理ＰＣ４は、マルチリレー３−１またはマルチメータ３−２の稼働スケジュール、設定値または整定値をＩＣタグ５に書き込み、電気機器３が、ＩＣタグ５が近接することによって、稼働スケジュール、設定値または整定値を取得して、それらの値に設定することができる。このように、本実施形態では、運用者が電気機器３の設定を一台ずつ行っていく必要が無く、管理ＰＣ４で設定値を取り込んだＩＣタグ５を持って電気機器３を巡回するだけで、電気機器３の設定作業を効率良く行うことができる。
【００６２】
［第２の実施形態］
［構成］
図６は、第２の実施形態の監視システム１１の構成図である。第２の実施形態の監視システム１１においては、ＩＣタグとして、可搬性の多機能情報端末であるスマートフォン端末またはタブレット端末５５を用いている。スマートフォン端末またはタブレット端末５５は、記憶部５１と、送受信部５２と、表示部５３と、演算処理部５４と、を有する。スマートフォン端末またはタブレット端末５５は、第１の実施形態のＩＣタグ５と同様の機能を有する。なお、ＩＣタグの機能を物理的な装置によって実現するのではなく、ＩＣタグ用のアプリケーションをインストールすることによって、スマートフォン端末またはタブレット端末５５にＩＣタグの機能を持たせるようにしてもよい。
【００６３】
［作用および効果］
本実施形態によれば、第１の実施形態の持つ作用および効果に加えて、次のような独自の作用および効果がある。すなわち、第２の実施形態では、ＩＣタグとして、可搬性の端末であるスマートフォン端末またはタブレット端末５５を用いた。そのため、スマートフォン端末／タブレット端末５５が、各電気機器３からデータを取得したときに、表示部５３で確認することができる。そのため、電気機器３のデータ確認をその場で行うことができ、何らかの対処が必要な場合、その対処を即座に実行に移すことができる。
【００６４】
［第３の実施形態］
［構成］
図７は、第３の実施形態の監視システム１２の構成図である。本実施形態の監視システム１２においては、管理ＰＣ４として、スマートフォン端末またはタブレット端末４′を用いる。スマートフォン端末またはタブレット端末４′は、記憶部４１′と、送受信部４２′と、表示部４３′と、演算処理部４４′と、を有する。このスマートフォン端末またはタブレット端末４′は、第１の実施形態の管理ＰＣ４と同様の機能を有する。なお、管理ＰＣ４の機能を物理的な装置によって実現するのではなく、専用のアプリケーションをインストールすることによって、スマートフォン端末またはタブレット端末４′に上記の機能を持たせるようにしてもよい。
【００６５】
［作用および効果］
本実施形態の独自の作用および効果は次の通りである。すなわち、第３の実施形態においては、管理ＰＣ４として、携帯が容易であるスマートフォン端末またはタブレット端末４′を用いたので、巡回作業時の使い勝手をさらに良くすることができる。また、スマートフォン端末またはタブレット端末４′は、持ち運びが簡単であることから、ＩＣタグ５と共に電気機器３の近くに置くことができる。したがって、電気機器３、ＩＣタグ５およびスマートフォン端末またはタブレット端末４′の３つを、全て近傍に配置することが容易である。その結果、電気機器３のデータをリアルタイムに受け取ることができ、監視性能がさらに向上する。
【００６６】
［第４の実施形態］
［構成］
図８は、第４の実施形態の監視システム１３の構成図である。本実施形態の監視システム１３においては、スマートフォン端末またはタブレット端末５５′を用いている。スマートフォン端末またはタブレット端末５５′は、管理ＰＣにＩＣタグを一体的に組み込んだものである。
【００６７】
本実施形態のスマートフォン端末またはタブレット端末５５′は、記憶部５１′と、送受信部５２′と、表示部５３′と、演算処理部５４′と、を有する。このスマートフォン端末またはタブレット端末５５′は、第２の実施形態のスマートフォン端末またはタブレット端末５５と、第２の実施形態のスマートフォン端末またはタブレット端末４′との機能を併せ持ったものである。
【００６８】
［作用および効果］
本実施形態によれば、管理ＰＣ４およびＩＣタグが、スマートフォン端末またはタブレット端末５５′として一体化して構成されるため、スマートフォンあるいはタブレットをＩＣタグ兼データストレージとして用いて、管理ＰＣ４との通信ツールとして活用することも可能である。
【００６９】
したがって、電気機器３にスマートフォン端末またはタブレット端末５５′を近づけるだけで、電気機器３のデータをリアルタイムに受け取ることができ、さらにはデータを表示して、且つ管理することができる。このようなスマートフォン端末またはタブレット端末５５′により、優れた監視性能を発揮することができる。また、管理ＰＣ４およびＩＣタグ５を一体化したことで、生産コストをさらに抑えることができる。
【００７０】
上記第１の実施形態では、電気機器３からのデータを管理ＰＣ４側で表示させるまでには、電気機器３からＩＣタグ５に情報を書き込ませ、ＩＣタグ５から管理ＰＣ４に情報を読み取らせるという２つステップが必要であった。しかし、第４の実施形態に係る監視システム１３では、電気機器３からスマートフォン端末またはタブレット端末５５′に情報を読み込ませるという１ステップだけで済む。したがって、第４の実施形態によれば、監視作業の効率をさらに向上させることができる。
【００７１】
［他の実施形態］
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００７２】
例えば、ＩＣタグ５を、管理ＰＣまたは各電気機器のデータ収集作業を開始するための操作キーとして機能させてもよい。これにより各電気機器３または管理ＰＣ４のセキュリティを高めることが可能である。また、ＩＣタグ５はパッシブタイプに限らず、電池が内蔵されたアクティブタイプであってもよい。
【００７３】
ＩＣタグ５の形状としては、ラベル状、カード状、コイン状など適宜変更可能であって、その大きさも適宜選択可能である。さらに、電気機器３または管理ＰＣ４の送受信部３２、４２を構成するＩＣタグライタ・リーダ装置としては、ハンディ型や据え起き型など適宜選択自由である。また、ＩＣタグに利用される周波数帯についても適宜設定可能である。
【符号の説明】
【００７４】
１、１１、１２、１３  監視システム
２  受配電設備
３  電気機器
４  管理ＰＣ
４′、５５、５５′  スマートフォン端末またはタブレット端末
５  ＩＣタグ
３１、４１、４１′、５１、５１′  記憶部
３２、４２、４２′、５２、５２′  送受信部
４３、４３′、５３、５３′  表示部
４４、４４′、５４、５４′  演算処理部
【図１】
2017107304.tif 000005
【図２】
2017107304.tif 000006
【図３】
2017107304.tif 000007
【図４】
2017107304.tif 000008
【図５】
2017107304.tif 000009
【図６】
2017107304.tif 000010
【図７】
2017107304.tif 000011
【図８】
2017107304.tif 000012